(57)【要約】  【課題】発根率が高く成長が促進される挿し穂又は接ぎ穂を効率良く製造する。  【解決手段】本発明の実施形態に係る挿し穂又は接ぎ穂の製造方法は、挿し木に用いる挿し穂又は接ぎ木に用いる接ぎ穂を製造する方法において、母株から上側及び下側が切断された挿し穂１又は接ぎ穂を切り出す切り出し工程と、切り出した挿し穂１又は接ぎ穂の上側又は下側の切口を注入液８に浸漬した状態で、他方の切口から吸引することで、注入液８を挿し穂１又は接ぎ穂の導管内に強制的に注入する注入工程と、を備える。【選択図】図１
2015177747.tif 000002
【特許請求の範囲】
【請求項１】
挿し木に用いる挿し穂又は接ぎ木に用いる接ぎ穂を製造する方法において、
母株から上側及び下側が切断された挿し穂又は接ぎ穂を切り出す切り出し工程と、
切り出した挿し穂又は接ぎ穂の上側又は下側の切口を注入液に浸漬した状態で、他方の切口から吸引することで、前記注入液を挿し穂又は接ぎ穂の導管内に強制的に注入する注入工程と、
を備えることを特徴とする挿し穂又は接ぎ穂の製造方法。
【請求項２】
挿し木に用いる挿し穂又は接ぎ木に用いる接ぎ穂を製造する方法において、
母株から上側及び下側が切断された挿し穂又は接ぎ穂を切り出す切り出し工程と、
切り出した挿し穂又は接ぎ穂の上側又は下側の切口から加圧する、又は、切り出した挿し穂又は接ぎ穂の上側又は下側の切口から吸引することで、挿し穂又は接ぎ穂の導管内の液体を強制的に排出する排出工程と、
導管内の液体が排出された挿し穂又は接ぎ穂の上側又は下側の切口を注入液に浸漬することで、挿し穂又は接ぎ穂の導管内に毛細管現象により前記注入液を注入する注入工程と、
を備えることを特徴とする挿し穂又は接ぎ穂の製造方法。
【請求項３】
前記注入工程は、挿し穂又は接ぎ穂の上側又は下側の切口を前記注入液に浸漬した状態で、さらに他方の切口から前記注入液を強制的に吸引する工程であることを特徴とする請求項２記載の挿し穂又は接ぎ穂の製造方法。
【請求項４】
挿し穂又は接ぎ穂の切口から導管内を加圧又は吸引するための加圧吸引器具として、挿し穂又は接ぎ穂の端部に被せられる吸い口の内面に、周方向に周回する凸条が形成されており、端部に被せられた際に、前記挿し穂又は接ぎ穂の表面に内面が密着する吸い口を有する加圧吸引器具を用いることを特徴とする請求項１乃至３何れか１項記載の挿し穂又は接ぎ穂の製造方法。
【請求項５】
挿し穂又は接ぎ穂の切口から導管内を加圧又は吸引するための加圧吸引器具として、挿し穂又は接ぎ穂の端部に被せられる吸い口の内周壁面の素材として、変形自在な柔軟性のある素材であって、挿し穂又は接ぎ穂の表面の形状に合わせて変形して密着する素材を採用した加圧吸引器具を用いることを特徴とする請求項１乃至３何れか１項記載の挿し穂又は接ぎ穂の製造方法。
【発明の詳細な説明】
【技術分野】
【０００１】
本発明は、植物の繁殖方法に関し、特に、挿し木に用いる挿し穂や接ぎ木に用いる接ぎ穂の製造方法に関する。
【背景技術】
【０００２】
従来から、植物の繁殖方法として、挿し木や接ぎ木が広く行われており、挿し木等の発根率や成長を促進させるための各種の方法が提案されている。例えば、挿し穂等を発根促進剤の溶液に浸けてから挿し床に挿し木する方法が行われており、下記特許文献１，２等に開示されている。
【先行技術文献】
【特許文献】
【０００３】
【特許文献１】特開２００３−３０４７６０号公報
【特許文献２】特開２００８−６１６０２号公報
【発明の概要】
【発明が解決しようとする課題】
【０００４】
挿し木する前に挿し穂を発根促進剤の溶液に浸ければ、挿し穂の発根率を向上させることができるが、挿し穂の導管内に溶液を吸い込ませるには時間もかかり、作業効率が良くない。また、挿し穂を発根促進剤の溶液に浸ける時間が十分でないと、導管内に吸い込まれる溶液の量が少なくなり、挿し穂の成長に悪影響が出ることも考えられる。
【０００５】
本発明は、このような課題に鑑みてなされたものであり、発根率が高く成長が促進される挿し穂又は接ぎ穂を効率良く製造することを目的とする。
【課題を解決するための手段】
【０００６】
上記課題を解決するための本発明に係る挿し穂又は接ぎ穂の製造方法は、挿し木に用いる挿し穂又は接ぎ木に用いる接ぎ穂を製造する方法において、母株から上側及び下側が切断された挿し穂又は接ぎ穂を切り出す切り出し工程と、切り出した挿し穂又は接ぎ穂の上側又は下側の切口を注入液に浸漬した状態で、他方の切口から吸引することで、前記注入液を挿し穂又は接ぎ穂の導管内に強制的に注入する注入工程と、を備えることを特徴とする。
【０００７】
また、本発明に係る挿し穂又は接ぎ穂の製造方法は、挿し木に用いる挿し穂又は接ぎ木に用いる接ぎ穂を製造する方法において、母株から上側及び下側が切断された挿し穂又は接ぎ穂を切り出す切り出し工程と、切り出した挿し穂又は接ぎ穂の上側又は下側の切口から加圧する、又は、切り出した挿し穂又は接ぎ穂の上側又は下側の切口から吸引することで、挿し穂又は接ぎ穂の導管内の液体を強制的に排出する排出工程と、導管内の液体が排出された挿し穂又は接ぎ穂の上側又は下側の切口を注入液に浸漬することで、挿し穂又は接ぎ穂の導管内に毛細管現象により前記注入液を注入する注入工程と、を備えることを特徴とする。
【発明の効果】
【０００８】
本発明に係る挿し穂又は接ぎ穂の製造方法によれば、発根率が高く成長が促進される挿し穂又は接ぎ穂を効率良く製造することができる。
【図面の簡単な説明】
【０００９】
【図１】図１は、本発明の第一実施形態に係る挿し穂の製造方法の流れを示すフローチャートである。
【図２】図２は、本発明の第一実施形態に係る挿し穂の製造方法のイメージを示す模式図である。
【図３】図３は、本発明の第一実施形態に係るスポイトの吸い口の垂直断面図である。
【図４】図４は、本発明の第二実施形態に係る挿し穂の製造方法の流れを示すフローチャートである。
【図５】図５は、本発明の第二実施形態に係る挿し穂の製造方法のイメージを示す模式図である。
【発明を実施するための形態】
【００１０】
以下、本発明の第一実施形態及び第二実施形態について説明する。ここでは、挿し木に用いる挿し穂の製造方法について説明する。
【００１１】
（第一実施形態）
以下、図面を参照しながら本発明の第一実施形態について詳細に説明する。図１は、第一実施形態に係る挿し穂の製造方法の流れを示すフローチャートである。図２は、第一実施形態に係る挿し穂の製造方法のイメージを示す模式図である。図３は、第一実施形態に係るスポイトの吸い口の垂直断面図である。
【００１２】
本実施形態では、挿し穂１の導管内に注入液８を吸引圧（負圧）により強制的に注入することを特徴としている。挿し穂１としては、「シャインマスカット」のブドウの枝を切り取ったものを用いた。
【００１３】
もちろん、本発明は種々の植物に対して適用することができ、例えば、菊、カーネーション、マーガレット、ペチュニア、スターチス等の花き類、サツマイモ、ニンニク、トマト等の野菜類、ブドウ、ブルーベリー等の果樹類、シャクナゲ等の花木類、ユーカリやシラカバなどの樹木類等の植物に適用することができる。また、挿し木に用いる挿し穂だけでなく、接ぎ木に用いる接ぎ穂にも本発明を適用することができる。
【００１４】
図１に示すように、挿し穂の製造にあたって、まずＳ１０において、母株から挿し穂１の切り出しを行う。具体的には、ブドウの樹の枝を切り取り、所定の長さ、例えば、各挿し穂に２つの芽が含まれるように切り分ける。本実施形態では、上側及び下側の両端二箇所に切口が形成された挿し穂１を切り出した。
【００１５】
続いて、Ｓ１１に進み、切り出した挿し穂１の上側又は下側の一方の切口を液体容器９に入れられた注入液８に浸ける。例えば、挿し穂１の下側の切口（基部）を注入液８に浸ける。この注入液８は、後述するように、挿し穂１の発根率を向上させたり、成長を促進させたりするために、挿し穂１の導管内に注入される液体である。注入液８としては、例えば、水、希釈発根促進ホルモン（オーキシン等）、液体肥料、成長促進のための菌体・薬剤等の微粒子を含む液体が用いられる。
【００１６】
続いて、Ｓ１２に進み、スポイト３を用いて、挿し穂１の注入液８に浸けていない方の他方の切口から導管内に注入液８を吸引する。具体的には、作業者がスポイト３のニップル６を摘まんで空気を出した状態で、挿し穂１の他方の切口部分にスポイト３の吸い口４部分を被せる。すなわち、挿し穂１の他端の枝がスポイト３の吸い口４の内部に挿入される。
【００１７】
ここで、スポイト３は、挿し穂１の一方の切口から加圧して気体や液体を挿し穂１の導管内に強制的に注入したり、同じく一方の切口から吸引して気体や液体を挿し穂１の導管内から抜き出したりするために用いる加圧吸引器具である。
【００１８】
図３に示すように、スポイト３の先端の吸い口４の内周壁には、螺旋状の凸条５が形成されている。挿し穂１の枝（茎）は、断面が真円ではなく楕円形状となっていたり、その表面には、多少の凸凹が形成されていたりするため、一般的なスポイトを被せた場合、吸い口内周壁と挿し穂１の表面との間に隙間が出来てしまい、導管への吸引力や加圧力が減衰してしまう。
【００１９】
これに対して、螺旋状の凸条５が形成されたスポイト３であれば、内周壁と挿し穂１の枝表面とが密着して密閉度が向上し、導管への吸引力や加圧力の減衰を抑えることができる。なお、凸条５は螺旋状に限定されるものではなく、周方向に複数回周回する凸条５であれば、同様の作用効果を奏することができる。
【００２０】
また、スポイト３の吸い口内周壁を挿し穂１に密着させるための構成としては、凸条５に限らず、他の構成を採用することもできる。例えば、柔軟性のある変形自在の素材を吸い口４の内周壁として用いれば、挿し穂１の断面が楕円形状であったり表面に凹凸が形成されていたりしたとしても、吸い口４の内周壁自体が、挿し穂１の表面形状に合わせて変形して密着することができる。このような柔軟性のある変形自在の素材としては、シリコーンゴム等を用いることができる。
【００２１】
続いて、Ｓ１３では、作業者がスポイト３のニップル６を解放することで、スポイト３の吸い口４先端に吸引力が発生し、注入液８に浸けられた挿し穂１の一方の切口から導管内に注入液８が強制的に吸引され、導管内に注入液８が注入される。
【００２２】
従来、挿し穂の一方の切口を成長促進剤に浸けるだけで導管内に吸引させる場合には、少なくとも半日以上は浸漬させておく必要があったが、強制的に吸引させる本実施形態によれば、数十秒もあれば、挿し穂１内に注入液８を注入することができる。
【００２３】
また、導管内に強制的に注入液を吸引できない場合には、導管が詰まっているためと考えられ、吸引できない挿し穂１を取り除くことで、不良品を排除することもできる。このようにして、導管内に注入液８が注入された挿し穂１が効率的に製造され、続いて、Ｓ１４において、この挿し穂１を挿し床に挿し木して育苗することで、発根率が高く、成長の早い挿し木苗を作ることができる。
【００２４】
（第二実施形態）
続いて、図面を参照しながら、本発明の第二実施形態について詳細に説明する。図４は、第二実施形態に係る挿し穂の製造方法の流れを示すフローチャートである。図５は、第二実施形態に係る挿し穂の製造方法のイメージを示す模式図である。なお、第一実施形態と同じ部材には同じ符番を付して、詳細な説明は省略する。
【００２５】
本実施形態では、挿し穂１の導管内の既存の液体を加圧により強制的に外部に排出してから、毛細管現象を利用して挿し穂１の導管内に注入液８を素早く注入することを特徴としている。本実施形態においても、挿し穂１として、「シャインマスカット」のブドウの枝を切り取ったものを用いた。
【００２６】
図４に示すように、挿し穂の製造にあたって、まずＳ２０において、上記Ｓ１０と同様に、母株から挿し穂１の切り出しを行う。続いて、Ｓ２１において、スポイト３を用いて、切り出した挿し穂１の上側又は下側の一方の切口から導管内を加圧する。具体的には、スポイト３のニップル６を膨らました状態で、挿し穂１の端部に対して吸い口４部分が密閉状態となるように被せる。
【００２７】
そして、作業者がスポイト３のニップル６を摘まんで吸い口４部分から空気を放出することで、挿し穂１の導管内に空気が送り込まれ、導管内が加圧される。Ｓ２１において、導管内が加圧されると、Ｓ２２において、挿し穂１の導管内に存在していた既存の液体が他方の切口から強制的に外部に排出される（図５参照）。なお、Ｓ２１では、導管内を加圧して導管内の液体を排出しているが、スポイト３の吸引により導管内の液体を排出するようにしても良い。
【００２８】
このように、挿し穂１の導管内が空になった状態で、Ｓ２３において、挿し穂１の一方の切口を液体容器９内に入れられた注入液８に浸ける。そうすると、Ｓ２４において、毛細管現象により、注入液８が挿し穂１の導管内に素早く強制的に吸引される。なお、このとき、さらに反対側の切口からスポイト３で導管内を吸引し、より強制的に注入するようにしても良い。
【００２９】
このようにして、導管内に注入液８が注入された挿し穂１が製造され、続いて、Ｓ２５において、この挿し穂１を挿し床に挿して育苗することで、発根率が高く、成長の早い挿し木苗を作ることができる。
【００３０】
以上、本発明の第一実施形態及び第二実施形態について説明したが、本発明によれば、挿し穂１の導管内に注入する注入液を、吸引により強制的に注入したり、既存の導管内の液体を強制的に排出してから毛細管現象により素早く強制的に注入したりすることで、発根率が高く、成長の早い挿し穂を効率良く製造することができる。
【００３１】
続いて、本発明の実施による実験のテスト結果について説明する。なお、以下の実験では、枝の違いによる発根率の差をなくために、同じ枝から取られた挿し穂が各試験区になるべく同じ数ずつ割り当てられるようにしている。
（１）実験１
条件：ブドウ品種「シャインマスカット」の結果母枝を2012年12月19日に採取し、それを、各枝にそれぞれ10芽程度含む50cm程度の枝に切り分けた。これら切り分けた枝を、濡れ新聞紙で包んでからビニール袋に入れて、5℃に設定された冷蔵庫の中で保存した。
【００３２】
その後、2013年2月15日に、これら10芽程度の枝を、さらに2芽ずつ含む枝に切り分けてから、試験区（実施例１、比較例１、比較例２）毎に異なる手法で液体の注入処理を行った。各試験区の注入処理手法は、下記の通りである。注入処理後、各試験区の挿し床に挿し木し、挿し込んでから一ヶ月後の2013年3月14日の発根本数を調べた。なお、実験１において、挿し木した挿し穂の本数は、比較例１が54本、比較例２が52本、実施例１が53本である。
【００３３】
比較例１：切り分けた挿し穂の下部を純水に12時間程度浸漬させてから、挿し床への挿し込みを行った。すなわち、一方の切口のみを純水に浸けた。
比較例２：切り分けた挿し穂の全体を純水に2時間程度浸漬させてから、挿し床への挿し込みを行った。
【００３４】
実施例１：上述した第二実施形態に開示した方法により、挿し穂を製造し、挿し床に挿し木した。なお、注入液としては、純水を用いた。また、Ｓ２４において、毛細管現象により挿し穂の導管内に純水を注入する際には、挿し穂の上側の切口に中の空気を抜いた状態のスポイトを刺し込み、吸引圧（負圧）により強制的に純水を導管内に吸引した。
【００３５】
なお、本実験１において、スポイトは、メスピペット用シリコンスポイントを使用し、挿し穂の太さに合わせて、穴径4.0mm、容量5mlのものと、穴径5.0mm、容量10mlのものを使い分けた。また、挿し床は、鹿沼土小粒100％の挿し床とし、暖房のついたガラス温室ハウス内に設置した。
【００３６】
実験１のテスト結果を下記表１に示す。
【表１】
2015177747.tif 000003
【００３７】
表１に示すように、実施例１では、53本中41本が発根し、発根率が77％であったのに対して、比較例１では、54本中26本が発根し、発根率は48％、比較例２では、52本中27本が発根し、発根率は52％であった。このように、挿し穂の導管内に強制的に短時間で純水を注入した実施例１は、比較例１，２と比べて格段に高い発根率を示した。
【００３８】
（２）実験２
条件：ブドウ台木品種「テレキ５ＢＢ」の結果母枝を2012年11月30日に採取し、各枝に10芽程度が含まれるように切りそろえた。これらの枝を濡れ新聞紙で包んでからビニール袋に入れ、5℃に設定された冷蔵庫の中で保存した。
【００３９】
その後、2013年12月12日に、これら10芽程度の枝を、さらに2芽ずつ含む枝に切り分けてから、試験区（実施例２、実施例３、比較例３）毎に異なる手法で液体の注入処理を行った。各試験区の注入処理手法は、下記の通りである。注入処理後、各試験区の挿し床に挿し込み、その後、2013年2月4日、2013年2月12日、2013年2月18日、2013年2月25日の発根本数を調べた。なお、実験２において挿し木した挿し穂の本数は、比較例３、実施例２及び実施例３の全てにおいて20本である。
【００４０】
比較例３：上記比較例１と同じ。
実施例２：上記実施例１と同じ。
実施例３：上記実施例１と同じ手法であるが、注入液として、純水の代わりに、発根促進剤として広く用いられているオキシベロン400倍希釈液を使用した。
なお、本実験２において使用したスポイトや挿し床は上記実験１と同じである。
【００４１】
実験２のテスト結果を下記表２に示す。
【表２】
2015177747.tif 000004
【００４２】
表２に示すように、2013年2月25日における累積発根率は、比較例３に比べて、実施例２，３が格段に高くなっている。また、実施例２と実施例３とを比較すると、発根率は略同じであるが、2013年2月12日の累積発根率を参酌すれば、発根促進剤を注入液として用いた実施例３のほうが発根が速くなっている。
【００４３】
（３）実験３
条件：1年生キコクの挿し穂を2011年2月23日に採取し、5cmずつに切り分けた後、直ちに試験区（比較例４、実施例４）毎に異なる手法で液体の注入処理を行った。各試験区の注入処理方法は下記の通りである。注入処理後、即座に各試験区の挿し床に挿し込み、後日（2011年4月11日、2011年4月18日、2011年4月23日）発根数を数えた。なお、実験３において挿し木した挿し穂の本数は、比較例４及び実施例４の双方において10本である。
【００４４】
比較例４：切り分けた挿し穂の下部を水道水に2時間程度浸漬させてから、挿し床への挿し込みを行った。すなわち、一方の切口のみを純水に浸けた。
実施例４：上記第一実施形態に開示した方法。但し、Ｓ１２において吸引圧を生成する加圧吸引器具として、スポイトの代わりに、水道水の水流を利用したアスピレーターを使用し、アスピレーターに接続されたシリコンチューブを挿し穂の一端に取り付けて注入水を吸引した。
なお、本実験３において、挿し床は、赤玉土100％とした。
【００４５】
実験３のテスト結果を下記表３に示す。
【表３】
2015177747.tif 000005
【００４６】
表３に示すように、実施例４においては、全ての挿し穂が発根したのに対して、比較例４では、2本の挿し穂が発根せず、発根率、発根スピードの双方において、実施例４のほうが格段に上回っている。
【００４７】
（４）実験４
条件：1年生キコクの挿し穂を2011年2月28日に採取し、5cmずつに切り分けた後、直ちに試験区（比較例５、実施例５）毎に異なる手法で液体の注入処理を行った。各試験区の注入処理方法は下記の通りである。注入処理後、即座に各試験区に挿し穂を挿し込み、後日（2011年3月28日、2011年4月8日、2011年4月13日）発根数を数えた。なお、実験４において挿し木した挿し穂の本数は、比較例５及び実施例５の双方において10本である。
【００４８】
比較例５：上記比較例４と同じ。
実施例５：上記実施例４と同じ。
なお、本実験４においても、挿し床は、赤玉土100％とした。
【００４９】
実験４のテスト結果を下記表４に示す。
【表４】
2015177747.tif 000006
【００５０】
表４に示すように、実施例５及び比較例５の双方において、最終的に発根しない挿し穂が1本であったが、発根のスピードは、実施例５のほうが比較例５のよりも格段に速かった。
【００５１】
（５）実験５
1年生キコク挿し穂を2011年5月23日に採取し、5cmずつに切り分けた後、直ちに試験区（比較例６、実施例６、実施例７）毎に異なる手法で液体の注入処理を行った。各試験区の注入処理方法は、下記の通りである。
【００５２】
比較例６：上記比較例４と同じ。
実施例６：上記第二実施形態に開示した方法。但し、Ｓ２１，Ｓ２２において挿し穂の導管内の液体を排出する際の加圧吸引器具として、スポイトの代わりに、水道水の水流を利用したアスピレーターを使用し、アスピレーターに接続されたシリコンチューブを挿し穂の一端に取り付けて、導管内の液体を吸引により抜いた。
実施例７：上記実施例４と同じ。
【００５３】
注入処理後、即座に各試験区に挿し穂を挿し込み、2011年11月に、生育の良好な樹を各試験区において5本ずつ選び、地上部と地下部に解体後、80℃の乾燥機で48時間以上乾燥後、乾物重を測定した。なお、実験５において挿し木した挿し穂の本数は、比較例６、実施例６及び実施例７の全てにおいて10本である。
【００５４】
実験５のテスト結果を下記表５に示す。
【表５】
2015177747.tif 000007
【００５５】
表５に示すように、サンプル１〜５の平均において、地上部の重量は、実施例７が一番重く、続いて、実施例６が重く、比較例６は一番軽い。また、地下部の重量（根の重さに相当）についても、実施例７が一番重く、続いて、実施例６が重く、比較例６が一番軽くなっている。これらの結果は、挿し穂の成長について、実施例７が一番早く、次に実施例６が早く、比較例６が一番遅いことを示している。
【００５６】
以上、実験１〜５の結果からも、本発明により製造した挿し穂は、発根率が高く、成長も促進されていることが示されている。
【００５７】
以上、本発明の実施の形態について説明したが、本発明の実施の形態は、上記実施形態に限定されるものではなく、本発明の主旨を逸脱しない範囲内で種々の変形が可能である。例えば、挿し穂の切口から導管内を加圧したり吸引したりするための加圧吸引器具は、スポイトやアスピレーターに限らず、適宜他の器具を使用することができる。
【００５８】
また、上記実施形態では、枝（茎）の上側及び下側の両端を切断して切口を形成した接ぎ穂について説明したが、上側の切口については、必ずしも上端である必要はなく、側枝に切口を形成した接ぎ穂であっても良い。特に、野菜の接ぎ穂の場合には、上側の切口が側枝を切断して形成されるケースも多い。
【００５９】
また、二本以上の側枝を切断するなどして、上側の切口が二箇所以上に形成されていても良い。但し、この場合には、側枝の一つの切口にスポイト３の吸い口４を被せても、導管内の加圧や吸引が困難な場合があるので、留意する必要があるが、下側の切口（基部）にスポイト３の吸い口４を被せて、導管内の液体の排出する処理等は良好に行うことができる。
【符号の説明】
【００６０】
１  挿し穂
３  スポイト
４  吸い口
５  凸条
６  ニップル
８  注入液
９  液体容器
【図１】
2015177747.tif 000008
【図２】
2015177747.tif 000009
【図３】
2015177747.tif 000010
【図４】
2015177747.tif 000011
【図５】
2015177747.tif 000012